(57)【要約】    【課題】  カメラボディの大きさを変えることなく被写体像の入射方向を変更することができるカメラ装置を提供する。    【解決手段】  カメラ装置は、略直方体のカメラボディ１と、カメラボディ１の上部に設けられた後述する鏡筒ユニット３０と、カメラボディ１に２軸構造により回転可能に支持され、撮像素子に取り込まれた被写体の像を表示する表示モニタ７とを備える。鏡筒ユニット３０は、第２の被写体の像を第１のレンズ群２に向けて反射させるべく所定の光軸上に進退自在に配される反射ミラー３と、図示しないモータの駆動により所定の光軸方向に移動可能に設けられた断面略コの字型のスライドカバー８とを備える。スライドカバー８は、反射ミラー３を所定の光軸上に侵入した第１の撮影位置と、所定の光軸上から退出した第２の撮影位置との間で進退させる。【選択図】      図３
2007024997.tif 000002
【特許請求の範囲】
【請求項１】
被写体像を取り込む撮像手段と、第１の被写体の像を所定の光軸に沿って前記撮像手段に導くレンズ群を有する鏡筒ユニットを備えるカメラ装置において、
前記鏡筒ユニットは、第２の被写体の像を前記レンズ群に向けて反射させるべく前記所定の光軸上に進退自在に配される反射部材と、
前記反射部材を前記所定の光軸上に進入した第１の撮影位置と前記所定の光軸から退出した第２の撮影位置との間で進退させる進退手段とを備えることを特徴とするカメラ装置。
【請求項２】
前記反射部材は、前記第１の撮影位置と前記第２の撮影位置との間で進退するように回動可能に支持されることを特徴とする請求項２記載のカメラ装置。
【請求項３】
前記鏡筒ユニットは、回動可能に支持された他のレンズ群を備え、
前記他のレンズ群は、前記反射部材が前記第１の撮影位置にあるときは前記第２の被写体の像を前記反射部材に導き、前記反射部材が前記第２の撮影位置にあるときは前記第１の被写体の像を前記レンズ群に導くことを特徴とする請求項１又は２記載のカメラ装置。
【請求項４】
前記他のレンズ群の光軸は、前記反射部材が前記第２の撮影位置にあるときは、前記レンズ群の光軸と一致していることを特徴とする請求項３記載のカメラ装置。
【請求項５】
少なくとも１つの回転軸を介して回転可能に支持され、前記撮像手段に取り込まれた被写体像を表示する表示手段を備えることを特徴とする請求項１乃至４のいずれか１項に記載のカメラ装置。
【請求項６】
前記第１の撮影位置における前記鏡筒ユニットの外形形状は、前記第２の撮影位置における前記鏡筒ユニットの外形形状とほぼ同一であることを特徴とする請求項１乃至５のいずれか１項に記載のカメラ装置。
【請求項７】
前記反射部材が前記第１の撮影位置であるときに前記第２の被写体の像を照射し、前記反射部材が前記第２の撮影位置であるときに前記第１の被写体の像を照射する照射手段を備えることを特徴とする請求項１乃至６のいずれか１項に記載のカメラ装置。
【請求項８】
前記進退手段は、前記所定の光軸方向に移動可能に設けられ、前記反射部材と係合する第１の係合部材と、前記他のレンズ群と係合する第２の係合部材とを有することを特徴とする請求項３乃至７のいずれか１項に記載のカメラ装置。
【請求項９】
回転可能に設けられ、回転位置に応じて前記第１の撮影位置又は前記第２の撮影位置のいずれか一方を選択する選択レバーと、前記選択レバーの回転に応じて回転するように設けられ、前記回転位置に応じて被写体像のズーム作動を行うズームレバーとを備えることを特徴とする請求項１乃至８のいずれか１項に記載のカメラ装置。
【請求項１０】
前記選択レバーは、前記第１の撮影位置では静止画撮影モードを設定し、前記第２の撮影位置であるときは動画撮影モードを設定することを特徴とする請求項９記載のカメラ装置。
【請求項１１】
前記第１の撮影位置において被写体像を取り込む第１の開口部と、前記第２の撮影位置において被写体像を取り込む第２の開口部とが設けられ、
前記進退手段は、前記第２の撮影位置において前記第１の開口部及び前記反射部材を覆うカバー部材を有することを特徴とする請求項１乃至１０のいずれか１項に記載のカメラ装置。
【請求項１２】
被写体像を取り込む撮像手段と、第１の被写体の像を所定の光軸に沿って前記撮像手段に導くレンズ群を有する鏡筒ユニットとを備え、当該鏡筒ユニットが、第２の被写体の像を前記レンズ群に向けて反射させるべく前記所定の光軸上に進退自在に配される反射部材とを有するカメラ装置の制御方法において、
前記反射部材を前記所定の光軸上に進入した第１の撮影状態と前記所定の光軸から退出した第２の撮影状態とを切り換える切り換えステップを有することを特徴とする制御方法。
【発明の詳細な説明】
【技術分野】
【０００１】
本発明は、カメラ装置に関し、特に、静止画と動画の両方を撮影することが可能なカメラ装置に関する。
【背景技術】
【０００２】
従来、カメラ装置としてのデジタルスチルカメラは、従来の銀塩フィルムを用いて撮影するスチルカメラと同様に、主に静止画を撮影するためにデザインされた略直方体のカメラボディと、該カメラボディの最も広い面において被写体と対向するように設けられたレンズとを備える。このデジタルスチルカメラは、上記カメラボディを両手で保持することで、いわゆる手振れを防ぐために最適な保持状態を得ることができる構造となっている。
【０００３】
一方、他のカメラ装置として、主に動画を撮影するためのデジタルビデオカメラでは、略直方体のカメラボディと、該カメラボディの最も狭い面において被写体と対向するように設けられたレンズとを備える構造が一般的である。
【０００４】
ここで、近年のデジタルスチルカメラ及びデジタルビデオカメラでは、静止画と動画の両方を撮影する機能を有するものが知られており、被写体や撮影状況によっては撮影者の片手を伸ばして撮影したい場合もあり、被写体の撮影状況に応じて撮影者のカメラボディの保持方法を変更する必要があるが、カメラボディに対するレンズの向きは一定であり、カメラボディの保持方法を変更できないのが通常であった。
【０００５】
このような問題を解消するべく、特許文献１では、偏平形状を有するカメラボディと、被写体に対して水平方向に回動自在に取付けられ、その左右両側部にテレ用とワイド用の２種類の撮影レンズを有する撮像ユニットとを備えるデジタルスチルカメラにおいて、カメラボディを固定した状態で撮像ユニットをカメラボディに対して回転することにより、左右両方向に撮影方向を切り換える方法が提案されている。このデジタルスチルカメラによれば、撮影状態に応じてカメラボディの保持方法を変更することが可能である。
【０００６】
また、特許文献２では、薄型スクエア形状を有するカメラ本体と、縦（上下）方向に配置され、カメラ本体に回転自在に支持された鏡筒ユニットと、鏡筒ユニットの内部に配設された屈曲光学系と、鏡筒ユニットの内部において屈曲光学系の被写体像の結像位置に配設されたＣＣＤ受光素子とを備えるデジタルカメラにおいて、鏡筒ユニットをカメラ本体に対して回転することにより、屈曲光学系及びＣＣＤ受光素子が鏡筒ユニットと共に一体的に回転させる方法が提案されている。このデジタルカメラによれば、屈曲光学系を採用することにより、撮影方向を変更する場合であっても鏡筒ユニットがカメラ本体から張り出さず、カメラ本体のコンパクト性を維持することが可能である。
【特許文献１】特開平１０−２８５４４０号公報
【特許文献２】特開２００４−２５４１８５号公報
【発明の開示】
【発明が解決しようとする課題】
【０００７】
しかしながら、上記特許文献１記載のデジタルスチルカメラでは、撮像ユニット、すなわち光学系全体をカメラ本体に対して回転させる必要がある為、撮影状態によっては光学系がカメラ本体から張り出す場合があり、カメラボディのコンパクト性に欠けるという問題点がある。
【０００８】
また、上記特許文献２記載のデジタルカメラでは、撮影方向を変えるためにはＣＣＤ受光素子等を含む鏡筒ユニット全体を回転させなければならず、鏡筒ユニットが大径化してしまうという問題点がある。更に、鏡筒ユニットがカメラ本体の縦方向に配置されているため、ズーム倍率を大きくすることにより光学系が長くなった場合は、カメラボディが縦長となり、撮影時に保持しにくくなってしまうという問題がある。
【０００９】
本発明の目的は、カメラボディの大きさを変えることなく被写体像の入射方向を変更することができるカメラ装置を提供することにある。
【課題を解決するための手段】
【００１０】
上記目的を達成するために、本発明に係るカメラ装置は、被写体像を取り込む撮像手段と、第１の被写体の像を所定の光軸に沿って前記撮像手段に導くレンズ群を有する鏡筒ユニットを備えるカメラ装置において、前記鏡筒ユニットは、第２の被写体の像を前記レンズ群に向けて反射させるべく前記所定の光軸上に進退自在に配される反射部材と、前記反射部材を前記所定の光軸上に進入した第１の撮影位置と、前記所定の光軸から退出した第２の撮影位置との間で進退させる進退手段とを備えることを特徴とする。
【発明の効果】
【００１１】
本発明によれば、鏡筒ユニットは、第２の被写体の像を前記レンズ群に向けて反射させるべく所定の光軸上に進退自在に配される反射部材と、反射部材を所定の光軸上に進入した第１の撮影位置と、所定の光軸から退出した第２の撮影位置との間で進退させる進退手段とを備えるので、鏡筒ユニット全体を回転させることなく反射部材の移動により第１の撮影位置と第２の撮影位置とを相互に切り換えることができ、もってカメラボディの大きさを変えることなく被写体像の入射方向を変更することができる。
【発明を実施するための最良の形態】
【００１２】
以下、本発明の実施の形態を図面を参照しながら詳述する。
【００１３】
図１は、本発明の第１の実施の形態に係るカメラ装置を概略的に示す斜視図であり、（ａ）は、主に静止画を撮影する場合の第１の撮影位置を示し、（ｂ）は、主に動画を撮影する場合の第２の撮影位置を示す。
【００１４】
図１（ａ）及び（ｂ）において、カメラ装置は、略直方体のカメラボディ１と、カメラボディ１の上部に設けられた後述する鏡筒ユニット３０と、カメラボディ１に２軸構造により回転可能に支持され、後述する撮像手段としての撮像素子に取り込まれた被写体の像を表示する表示モニタ７とを備える。
【００１５】
表示モニタ７は、カメラボディ１に対して図１（ｂ）中の矢印Ａ方向及び矢印Ｂ方向に回転可能であり、主に静止画を撮影する場合はカメラボディ１の側部に収納されており（図１（ａ））、主に動画を撮影する場合は、矢印Ａ方向又は矢印Ｂ方向に所定量、例えば矢印Ａ方向に略９０度回転することによりカメラボディ１から張り出した状態で固定される（図１（ｂ））。以下、図１（ａ）に示す撮影位置を「第１の撮影位置」といい、図１（ｂ）に示す撮影位置を「第２の撮影位置」という。
【００１６】
また、カメラ装置は、カメラボディ１の上面に設けられた略円柱形の撮影開始ボタン１１と、撮影開始ボタン１１と同軸上に回動可能に設けられ、回転位置に応じて第１の撮影位置又は第２の撮影位置のいずれか一方を選択する略円環形状の撮影位置選択レバー１０と、撮影位置選択レバー１０の回転に応じて回転するように設けられ、回転位置に応じて被写体像のズーム作動を行う略円環形状のズームレバー９とを備える。これにより、第１の撮影位置及び第２の撮影位置における撮影開始ボタン１１とズームレバー９とを共用化することが可能であると共に、撮影者によるカメラボディ１の保持方法が変わった場合であってもズーム作動の操作性を損なうことなく被写体を撮影することができる。また、撮影位置の変更によりズーム操作やシャッタ操作の方向が変わらないので、操作性を損なうことが無く、誤操作を低減することができる。
【００１７】
撮影位置選択レバー１０は、回転位置に応じて後述するスライドカバー８を作動させると共に、第１の撮影位置では静止画撮影モードを設定し、第２の撮影位置では動画撮影モードを設定する。これにより、撮影モードが撮影位置に応じて切替わるので、操作を簡略化でき、敏速に撮影を行うことができる。また、ズームレバー９は、回転位置に応じて後述する第２のレンズ群４を光軸方向に移動させることにより、被写体像のズーム作動を行う。撮影開始ボタン１１は、静止画を撮影する第１の撮影位置ではシャッタ動作用スイッチとして、また、動画を撮影する第２の撮影位置では撮影開始及び撮影終了のスイッチとして作用する。これにより、コンパクト性を損なうことなく静止画撮影モードと動画撮影モードの両方に適した撮影スタイルを得ることができる。
【００１８】
カメラボディ１内には不図示の制御部が設けられており、撮影位置選択レバー１０により選択された静止画撮影モード又は動画撮影モードに応じてカメラ装置内の各種装置が制御される。
【００１９】
図２は、図１のカメラ装置を被写体側からみた斜視図であり、（ａ）は、第１の撮影位置を示し、（ｂ）は、第２の撮影位置を示す。
【００２０】
図２（ａ）又は（ｂ）において、鏡筒ユニット３０はカメラボディ１の上部に固定される略直方体のカバー３１を有し、カバー３１には、その最も大きい一対の面の一方の上部角隅部に設けられた略矩形の第１の開口部１ａと、最も小さい一対の面の一方の上部に設けられた第２の開口部１ｂとが設けられている。第１の撮影位置であるときは、第１の開口部１ａを介して第１の被写体の像が鏡筒ユニット３０内に取り込まれ、第２の撮影位置であるときは、第２の開口部１ｂを介して第２の被写体の像が鏡筒ユニット３０内に取り込まれる。
【００２１】
図３は、図２における鏡筒ユニット３０の構成を概略的に示す図であり、（ａ）は、第１の撮影位置を示す斜視図であり、（ｂ）は、第１の撮影位置における鏡筒ユニット３０の上面断面図である。
【００２２】
図３（ａ）及び（ｂ）において、鏡筒ユニット３０は、略直方体のカメラボディ１に対して最も長い長辺方向に沿って横置きに配置されている。これにより、後述する複数のレンズ群からなる光学系を備える鏡筒ユニットの全長が長くなった場合であっても、カメラボディを大型化する必要がなく、カメラ装置のコンパクト性を維持することができる。また、鏡筒ユニット３０は、カメラボディの高さ方向において表示モニタ７と異なる位置に配設される。これにより、鏡筒ユニット３０と表示モニタ７とがカメラボディの高さ方向において重なることがなく、カメラボディ１の厚みの増大を低減することができる。
【００２３】
さらに、鏡筒ユニット３０は、反射ミラー３の被写体側において不図示の回転軸を介して回動可能に支持され、第１の被写体の像又は第２の被写体の像を取り込む第１のレンズ群（他の光学素子）２と、第２の被写体の像を第１のレンズ群２に向けて反射させるべく所定の光軸上に進退自在に配される反射ミラー（反射部材）３と、第１の被写体又は第２の被写体の像を所定の光軸に沿って後述する撮像素子６に導く第２のレンズ群（光学素子）４と、第２のレンズ群４からの露光量を調節する絞りシャッタ装置５と、絞りシャッタ５と後述する撮像素子６の間において第２のレンズ群４と同軸上に設けられた第３のレンズ群１３と、第３のレンズ群１３に取り込まれた被写体の像を電気信号に変換する撮像素子６と、図示しないモータの駆動により所定の光軸方向（カメラボディ１の最も長い長辺方向）に移動可能に設けられた断面略コの字型のスライドカバー（切替装置）８と、第１のレンズ群２及び反射ミラー３を夫々図３（ｂ）中の矢印Ｃ方向に付勢する図示しない２つのガタ寄せバネとを備える。
【００２４】
第１のレンズ群２は、反射ミラー３が第１の撮影位置にあるときは第２の被写体の像を反射ミラー３に導き、反射ミラー３が第２の撮影位置にあるときは第１の被写体の像を第２のレンズ群４に導く。これにより、レンズ設計の自由度が増し、緒収差の低減やズーム倍率の増加が容易となる。
【００２５】
反射ミラー３は、第１の撮影位置と第２の撮影位置との間で進退するように回動可能に支持される。また、反射ミラー３は、第１の撮影位置では、第１のレンズ群２により取り込まれた被写体像を略９０度に反射するべくカメラボディ１の最も長い長辺方向から略４５度の位置に移動し、第２の撮影位置では、カメラボディ１の最も長い長辺方向と平行な位置に移動する。
【００２６】
スライドカバー８は、反射ミラー３を所定の光軸上に侵入した第１の撮影位置と、所定の光軸上から退出した第２の撮影位置との間で進退させる。スライドカバー８は、第１のレンズ群２及び第２のレンズ群４の側方において対向するように設けられた一対の壁部（カバー部材）８ｃと、第１のレンズ群２と係合することにより第１のレンズ群２を矢印Ｃ方向と反対方向に回動させる係合部材８ａと、反射ミラー３と係合することにより反射ミラー３を回動させる係合部材８ｂとを有する。
【００２７】
また、鏡筒ユニット３０には、第１のレンズ群２及び反射ミラー３を夫々所定の位置で支持する図示しない２つの位置決め部が設けられている。
【００２８】
ガタ寄せバネにより付勢された第１のレンズ群２は、係合部材８ａにより付勢方向と反対方向に押圧されると共に、位置決め部材により所定の位置で支持される。また、ガタ寄せバネにより付勢された反射ミラー３は、係合部材８ｂにより付勢方向と反対方向に押圧されると共に、位置決め部材により所定の位置で支持される。これにより、第１の開口部１ａから第２のレンズ群４までの光路が高精度に維持される。
【００２９】
第１の撮影位置における鏡筒ユニット３０の外形形状は、第２の撮影位置における鏡筒ユニット３０の外形形状と同一である。これにより、カメラボディ１の大きさが変更されず、撮影時におけるカメラボディの保持が容易となる。
【００３０】
次に、本実施の形態に係るカメラ装置の撮影時の動作を説明する。
【００３１】
先ず、第１の撮影位置（図２（ａ））では、撮影位置選択レバー１０により、静止画を取り込む静止画撮影モードが設定される。第１の開口部１ａを介して第１のレンズ群２から取り込まれた第２の被写体の像が、反射ミラー３により略９０度に折り曲げられ、第２のレンズ群４、絞りシャッタ装置５、及び第３のレンズ群１３を介して撮像素子６に取り込まれる。撮像素子６に取り込まれた第２の被写体の像は表示モニタ７に表示される。次に、任意の画角となるようにズームレバー９を所定の位置まで回動することにより、第２のレンズ群等が図示しないモータで光軸方向に移動する。撮影開始ボタン１１が押下されると、絞りシャッタ装置５により絞りとシャッタが実行され、適切な露光量が撮像素子６に取り込まれて、第２の被写体の撮影が実行される。撮影された被写体の撮影画像は表示モニタ７に表示される。
【００３２】
次に、第２の撮影位置におけるカメラ装置の動作を説明する。
【００３３】
図４は、図２における鏡筒ユニット３０の構成を概略的に示す図であり、（ａ）は、第２の撮影位置を示す斜視図であり、（ｂ）は、第２の撮影位置における鏡筒ユニット３０の上面断面図である。
【００３４】
図４（ａ）及び（ｂ）に示すように、撮影位置選択レバー１０は、静止画撮影モードが設定される位置から略９０度回転した位置にある。同軸上に設けられたズームレバー９は、撮影位置選択レバー１０と一体となって略９０度回転するため、撮影位置選択レバー１０と同様に、静止画撮影モードが設定される位置から略９０度回転した位置にある。この撮影位置選択レバー１０により動画を取り込む動画撮影モードが設定される。また、第１のレンズ群２は、第１の撮影位置で固定される位置から９０度回転した位置にあり、その光軸が第２のレンズ群の光軸と一致している。また、一対の壁部８ｃは、第１の開口部１ａ及び反射ミラー３を覆っている。これにより、動画撮影モードで第１の被写体の像を撮影する際に、鏡筒ユニット３０内に生じる内面反射が防止される。
【００３５】
この第２の撮影位置では、第２の開口部１ｂを介して第1のレンズ群２から取り込まれた第１の被写体の像が、第２のレンズ群４、絞りシャッタ装置５、及び第３のレンズ群１３を介して撮像素子６に取り込まれる。撮像素子６に取り込まれた第１の被写体の像は表示モニタ７に表示される。これにより、撮影者は撮影位置を確認することができる。撮影開始ボタン１１を押下すると、動画の撮影が開始され、ズームレバー９を操作することにより第２のレンズ群４等が図示しないモータなどにより移動し、これにより第１の被写体の像の画角が変化する。撮影開始ボタン１１を再度押すと、動画撮影が終了する。
【００３６】
次に、第１の撮影位置と第２の撮影位置とが相互に切替わる際のカメラ装置の動作について説明する。
【００３７】
撮影位置選択レバー１０の動作により動画撮影モードから静止画撮影モードに切替えられた場合は、図示しないモータ等によりスライドレバー８が第２の開口部１ｂに近づく方向に平行に移動する。係合部材８ａがガタ寄せバネにより付勢された第１のレンズ群２を押圧することにより、第１のレンズ群２が図３（ｂ）中の矢印Ｃ方向と反対方向に略９０度回動し、第１のレンズ群２の光軸が第２のレンズ群の光軸と一致する。また、係合部材８ｂがガタ寄せバネにより付勢された反射ミラー３を押圧することにより、反射ミラー３が図３（ｂ）中の矢印Ｃ方向と反対方向に略４５度回動する（図４（ｂ））。その後、スライドカバー８は、第１の開口部１ａ及び反射ミラー３を一対の壁部３ｃにより覆う第２の撮影位置まで移動する。撮影開始ボタン１１が押下されると、第２の開口部１ｂを介して被写体の像が取り込まれる。
【００３８】
一方、撮影位置選択レバー１０の動作により動画撮影モードから静止画撮影モードに切替えられた場合は、スライドレバー８が第２の開口部１ｂから離れる方向に平行に移動する。第１のレンズ群２は係合部材８ａと係合しながら図３（ｂ）中の矢印Ｃ方向に略９０度回動する。反射ミラー３は係合部材８ｂと係合しながら図３（ｂ）中の矢印Ｃ方向に略４５度回動する。その後、スライドカバー８は、第１の開口部１ａを開口する位置まで移動する。撮影開始ボタン１１が押下されると、第１の開口部１ａを介して被写体の像が取り込まれる。
【００３９】
上述したように、本実施の形態によれば、鏡筒ユニット３０は、第２の被写体の像を第１のレンズ群２に向けて反射させるべく所定の光軸上に進退自在に配される反射ミラー３と、反射ミラー３を所定の光軸上に侵入した第１の撮影位置と所定の光軸上から退出した第２の撮影位置との間で進退させるスライドカバー８とを備えるので、鏡筒ユニット３０全体を回転させることなく反射ミラー３の移動により第１の撮影位置と第２の撮影位置とを相互に切り換えることができ、もってカメラボディ１の大きさを変えることなく被写体像の入射方向を変更することができる。
【００４０】
また、スライドカバー８は、第２の撮影位置において第１の開口部１ａ及び反射ミラー３の反射面を覆う一対の壁部３ｃを有するので、鏡筒ユニット３０内に生じる内面反射を防止し、もって光学性能を低下することなくカメラ装置の構造を簡略化することができる。
【００４１】
図５は、本発明の第２の実施の形態に係るカメラ装置の構成を概略的に示す斜視図であり、（ａ）は、第１の撮影位置を示し、（ｂ）は、第２の撮影位置を示す。
【００４２】
本実施の形態では、その構成が本発明の第１の実施の形態と基本的に同じであるため、同じ構成要素については同一の符号を付してその説明を省略し、以下に異なるもののみを説明する。
【００４３】
図５（ａ）及び（ｂ）において、カメラ装置は、カメラボディ１の上部に設けられた鏡筒ユニット５０と、鏡筒ユニット５０の上部において被写体に光を照射するストロボ等の照射装置１２を備える。
【００４４】
照射装置１２は、第１の開口部１ａと同一面上に設けられた第１の照射部１２ａと、第２の開口部１ｂと同一面上に設けられた第２の照射部１２ｂとを有し、その照射方向が撮影位置選択レバー１０の操作に連動して切替わるように構成されている。
【００４５】
照射装置１２は、反射ミラー３が第１の撮影位置であるときに第２の被写体の像を照射し、反射ミラー３が第２の撮影位置であるときに第１の被写体の像を照射する。
【００４６】
本実施の形態によれば、照射装置１２が、反射ミラー３が第１の撮影位置であるときに第２の被写体の像を照射し、反射ミラー３が第２の撮影位置であるときに第１の被写体の像を照射するので、撮像素子６に取り込まれる光量が低い場合であっても被写体を撮影することが可能である。また、光の照射方向が撮影位置選択レバー１０の操作に連動して切替えられることにより、操作性を損なうことなく被写体を撮影することが可能である。さらに、撮影位置による撮影可能条件に差が生じないので、所望の撮影画像を得ることができる。
【００４７】
尚、上記実施の形態では、カメラ装置は、反射ミラー３が第１の撮影位置であるときは、第１の開口部１ａを介して第２の被写体の像を鏡筒ユニット３０内に取り込み、反射ミラー３が第２の撮影位置であるときは、第２の開口部１ｂを介して第１の被写体の像を鏡筒ユニット３０内に取り込むが、これに限るものではなく、撮影者が反射ミラー８の動作に応じてカメラボディ１を被写体に対して略９０度回転させることにより、第１の撮影位置及び第２の撮影位置の両方において一の被写体を鏡筒ユニット３０内に取り込んでもよい。これにより、第１の被写体の静止画及び動画を撮影することが可能である。
【００４８】
上記実施の形態では、反射ミラー３の被写体側において第１のレンズ群２が設けられているが、これに限るものではなく、反射ミラー３の被写体側に第１のレンズ群２を配置しない構成でもよい。
【００４９】
また、上記実施の形態では、撮影位置選択レバー１０を所定量回動することにより、静止画撮影モード又は動画撮影モードのいずれかが設定されるが、これに限るものではなく、他の操作により静止画撮影モード又は動画撮影モードのいずれかが設定されてもよい。
【００５０】
また、上記実施の形態では、表示モニタ７は、静止画撮影モード又は動画撮影モードのいずれにおいても、図１（ｂ）中の矢印Ａ方向及び矢印Ｂ方向に回転自在である。これにより、撮影者が最も見やすい位置に表示モニタ７を配置することができるので、適切なフレーミングを行うことができる。また、動画撮影モードにおいて、表示モニタ７を図１（ｂ）に示す位置から矢印Ａ方向に略１８０度回転することにより、撮影者自身を表示モニタ７に表示しながら撮影することも可能である。
【００５１】
さらに、表示モニタ７はカメラボディ１に２軸構造により回転可能に支持されるが、これに限るものではなく、少なくとも１つの回転軸を介して回転可能に支持されてもよい。
【００５２】
上記実施の形態では、第３のレンズ群１３は、絞りシャッタ５と撮像素子６の間に設けられているが、これに限るものではなく、ズーム比などの選択により任意の位置に設けられてもよい。
【図面の簡単な説明】
【００５３】
【図１】本発明の第１の実施の形態に係るカメラ装置を概略的に示す斜視図であり、（ａ）は、主に静止画を撮影する場合の第１の撮影位置を示し、（ｂ）は、主に動画を撮影する場合の第２の撮影位置を示す。
【図２】図１のカメラ装置を被写体側からみた斜視図であり、（ａ）は、第１の撮影位置を示し、（ｂ）は、第２の撮影位置を示す。
【図３】図２における鏡筒ユニットの構成を概略的に示す図であり、（ａ）は、第１の撮影位置を示す斜視図であり、（ｂ）は、第１の撮影位置における鏡筒ユニットの上面断面図である。
【図４】図２における鏡筒ユニットの構成を概略的に示す図であり、（ａ）は、第２の撮影位置を示す斜視図であり、（ｂ）は、第２の撮影位置における鏡筒ユニットの上面断面図である。
【図５】本発明の第２の実施の形態に係るカメラ装置の構成を概略的に示す斜視図であり、（ａ）は、第１の撮影位置を示し、（ｂ）は、第２の撮影位置を示す。
【符号の説明】
【００５４】
１  カメラボディ
１ａ  第１の開口部
１ｂ  第２の開口部
２  第１のレンズ群
３  反射ミラー
４  第２のレンズ群
５  絞りシャッタ
６  撮像素子
８  スライドカバー
８ａ，８ｂ  係合部材
８ｃ  壁部
９  ズームレバー
１０  撮影位置選択レバー
１１  撮影開始ボタン
１３  第３のレンズ群
【図１】
2007024997.tif 000003
【図２】
2007024997.tif 000004
【図３】
2007024997.tif 000005
【図４】
2007024997.tif 000006
【図５】
2007024997.tif 000007